(57)【要約】【課題】２つのセンサーにより侵入者とそれ以外のものとの区別を確実にし、セキュリティを高めるセキュリティシステムを提供する。【解決手段】外部からの侵入者はセンサーの存在を知らない。そこで、侵入者は前方にある第１のセンサーＳ１から後方にある第２のセンサーＳ２の順に感知され、その結果、警報装置が作動する。また、居住者はセンサーの存在を知っている。そこで、居住者は後方にある第２のセンサーＳ２から前方にある第１のセンサーＳ１の順に感知されるように行動し、その結果セキュリティモードが解除される。【選択図】  図４
2004341838.tif 000002
【特許請求の範囲】
【請求項１】
所定範囲に物体が存在する場合に反応するセンサーを備え、該センサーの反応結果に応じて特定の動作を行うセキュリティシステムにおいて、
所定範囲に物体が存在すると反応する第１、  第２のセンサーと、
第１センサーからの検出信号と第２センサーからの検出信号が入力し、これら検出信号の入力順序を判別する判別手段と、
判別手段の判別結果に応じて特定の動作を行う対処手段と、を備えたことを特徴とするセキュリティシステム。
【請求項２】
前記第１センサーと前記第２センサーは予め定められた物体の進行方向に沿って配置されていることを特徴とする、請求項１に記載のセキュリティシステム。
【請求項３】
前記判別手段の判別した検出信号の入力順序が、前記進行方向に沿った入力順である場合、前記対処手段の行う所定の動作が警報動作等の防犯動作であり、前記入力順序が前記進行方向に沿った入力順と逆の順である場合、前記対処手段の行う所定の動作が前記防犯動作を解除する動作であることを特徴とする、請求項２に記載のセキュリティシステム。
【発明の詳細な説明】
【０００１】
【発明の属する技術分野】
この発明は、物体が存在するとき反応するセンサーを備えたセキュリティシステムに関するものである。
【０００２】
【従来の技術】
従来の住宅等に採用されているセキュリティシステムは、防犯を希望する箇所に設置された１つのセンサーとこのセンサーからの入力を監視する本体部とを主要部にしている。ここでセンサーが感知する範囲に侵入者が侵入するとセンサーが感知して本体に信号を送信する。本体はこの信号を受信し、例えば警報を発したり、照明装置を点灯したり、警備会社に自動で通報を行うなどの防犯操作を行う（例えば特許文献１参照）。
【０００３】
【特許文献１】
実開昭５８−１２９５８９号公報
【０００４】
【発明が解決しようとする課題】
ところが、従来の技術では、  センサーが１つであるため、それを避けて侵入者が侵入することが比較的容易であり、  盗難を確実に防止できるものではなかった。
【０００５】
また、１つのセンサーで単に侵入者を感知する場合、  侵入者と居住者との区別を容易につけることができなかった。即ち、防犯設定されていれば侵入者、  居住者に関わらず感知して防犯動作を行っていた。
【０００６】
この発明の目的は、センサーを２つ設け、そのセンサーの反応順序に応じた検出入力信号により確実に不法侵入者に対して十分な警告を与え、防犯を確実に防止するとともに、侵入者を容易に判別できる容易な構成のセキュリティシステムを提供することにある。
【０００７】
【課題を解決するための手段】
この発明は所定範囲に物体が存在する場合に反応するセンサーを備え、該センサーの反応結果に応じて特定の動作を行うセキュリティシステムにおいて、
所定範囲に物体が存在すると反応する第１、  第２のセンサーと、
第１センサーからの検出信号と第２センサーからの検出信号が入力し、これら検出信号の入力順序を判別する判別手段と、
判別手段の判別結果に応じて特定の動作を行う対処手段と、
を備えたことを特徴としている。
【０００８】
この構成では、２つのセンサーがあるので単独のセンサーである場合に比べて物体を検知しやすい。このため侵入者の感知が容易になる。また、順序によって違う動作を行うことが可能になる。
【０００９】
この発明は、前記第１センサーと前記第２センサーとが予め定められた物体の進行方向に沿って配置されていることを特徴としている。
【００１０】
この構成では、  例えば第１のセンサー第２のセンサーの順に検出信号が入力されると警報動作し、第２のセンサー第１のセンサーの順に入力信号が入力されると警報動作しないように制御できる。この為、侵入者とそうでない人との区別が容易になる。
【００１１】
この発明では、前記判別手段の判別した検出信号の入力順序が、前記進行方向に沿った入力順である場合、前記対処手段の行う所定の動作が警報動作等の防犯動作であり、前記入力順序が前記進行方向に沿った入力順と逆の順である場合前記対処手段の行う所定の動作が前記防犯動作を解除する動作であることを特徴としている。
【００１２】
この構成では、居住者がその順番を覚えておくことでその防犯動作を回避できる。
【００１３】
【発明の実施の形態】
以下、図面を用いて本発明の実施形態に係るセキュリティシステムについて図１、図２、図３、  図４、図５、図６を参照にしつつ詳細に説明する。
【００１４】
（第１の実施の形態）
第１の実施形態について図１から図５までを参照しながら説明する。
図１は、  本発明によるセキュリティシステムの全体構成を示すブロック図である。１は建物内に設置されるセキュリティシステムコントロール装置である。２，３は建物内又は建物外の侵入されたくない領域に設置される第１・第２センサーである。これらの各センサーはセキュリティシステムコントロール装置１と有線あるいは無線で接続されており、  異常を感知するとセキュリティシステムコントロール装置１に信号を送信するようになっている。４は建物内に設置されるセキュリティシステムコントロール装置１のセット本体部及び付属されるリモートコントロールにより操作できる操作入力部で居住者は外出前や就寝前に操作入力部４を操作し、セキュリティシステムコントロール装置１をセキュリティモードに設定する。
【００１５】
５は遠隔の警備会社で、セキュリティコントロール装置１と電話回線あるいは無線等の通信回路を介して接続されている。建物内で不法侵入が発生した場合には、セキュリティシステムコントロール装置１から直ちに警備会社５に異常信号が送信され、警備会社５では異常信号を受信すると、対処要員を現場に急行させたり、あるいは電話により状況を確認する等の対応を行う。６は建物内に不法侵入が発生した場合に、セキュリティシステムコントロール装置１より直ちに命令を出し、全てのドア・窓・シャッター６を閉鎖させ侵入者の逃走を防ぐものである。７は建物内に不法侵入が発生した場合に全てのドア・窓・シャッター６を閉鎖させるとほぼ同時に建物の所有者・居住者・警察などに電話・電子メールなど通信手段を用い異常を連絡する為の通信部である。８の表示部は液晶パネルなどを使用し、建物内に不法侵入が発生した場合に、全てのドア・窓・シャッター６を閉鎖させた後、侵入者に向けセキュリティシステムが作動したことを告げるものである。
【００１６】
図２はセンサーの配置を示す図である。居住者の家９の前面にはドア１０が取り付けられている。１１，１２はセンサー取り付け棒であり、家１に入ろうとする人１３は動線１４に沿ってドアに入ることから、家から遠い順にセンサー取り付け棒１２、センサー取り付け棒１１とこの順番で取り付けられている。センサー１２０はセンサー取り付け棒１２の下部にセンサー１１０はセンサー取り付け棒１１の上部に取り付けられている。また、図１の表示部８に対応する液晶表示部１１１がセンサー取り付け棒１１のセンサー１１０の上部に取りつけられている。これは、侵入者が侵入してセンサーシステムが作動したことを侵入者に示す装置である。
【００１７】
なお、上記説明ではセンサー１１の上部に表示部を取り付けたが、侵入者にそのシステム作動を知らせる表示を見せることが出来れば、どの場所であっても良い。
【００１８】
上記本実施例ではセンサーに光学センサーを使っている。
次に動作を説明する。以下、図３に示すフローチャートとセンサーの動作を示す概要図４及び概要図５とを参照して説明する。ここで図３のフローチャ−トに示すＳ１は図２に示すセンサー１２０、Ｓ２は同様にセンサー１１０を示す。
【００１９】
まず、居住者が外出するなどしてセキュリティモードが作動されれば（ＳＴ１）センサーで感知を開始する（ＳＴ２）。ここでセンサー作動であればそのセンサーの感知順番の判別を開始する（ＳＴ３）。センサーＯＦＦであればセンサー作動になるまでまち続ける。センサー感知順番の判別が図４に示すようにＳ１，Ｓ２である場合、セキュリティ作動が開始され（ＳＴ４）、警報動作に入る（ＳＴ５）。もし、センサー感知順番の判別が図５に示すようにＳ２，Ｓ１である場合、セキュリティ作動が解除されＳＴＡＲＴにもどる。
ここで図４、図５を詳細に説明する。外部からの侵入者はセンサーの存在を知らない。そこで、侵入者は前方にある第１のセンサーＳ１から後方にある第２のセンサーＳ２の順に感知され、その結果、警報装置が作動する。また、居住者はセンサーの存在を知っている。そこで、居住者は後方にある第２のセンサーＳ２から前方にある第１のセンサーＳ１の順に感知されるように行動し、その結果セキュリティモードが解除される。
【００２０】
このような構成とすることで、単独のセンサーである場合に比べて物体を検知しやすくなり、侵入者の感知が容易になる。また、センサーの感知の順序によって侵入者と居住者との判別が可能になり、各々の場合に違う動作を行うことができる。
【００２１】
（第２の実施の形態）
第２の実施形態について図１、図３、図４、図５、図６を参照しながら説明する。
【００２２】
なお、本実施形態において第１の実施形態と同じ構成の部分には、同じ記号を付し説明は省略する。
【００２３】
図６は第２の実施形態のセンサーの配置を示す図である。本実施形態と第１の実施形態との相違する点は、図６においてセンサー取り付け棒１１’を水平に配置し左右にセンサーを取り付けた点である。また、センサー取り付け棒１１’の長さは２０〜３０ｃｍ程度の比較的短い長さに設定されている。ここで人１３は動線１４に沿ってドアに入ることから、家９から遠い順にセンサー１２０’、１１０’がセンサーは取りつけられている。この図では外部からの侵入者の場合はセンサーの存在を知らない。そこで、前方にある第１のセンサー１２０’から後方にある第２のセンサー１１０’の順で感知され、警報装置が作動する。また、居住者はセンサーの存在を知っている。そこで、後方にある第２のセンサー１１０’の位置に手を伸ばした状態で進む。すると、第１の実施形態と同様に、第２のセンサー１１０’第１のセンサー１２０’の順で検出されるため、セキュリティモードが解除される。
このように、この場合も確実に防犯を行うことが出来る。
【００２４】
【発明の効果】
この発明によれば、２つのセンサーにより侵入者とそれ以外のものとの区別を確実にすることができセキュリティを高めることが出来る。
【図面の簡単な説明】
【図１】セキュリティシステムの全体構成を示すブロック図
【図２】実施形態１のセンサーの配置を示す図
【図３】動作を説明するフロ−チャート
【図４】センサーの動作を示す概要図
【図５】センサーの動作を示す概要図
【図６】実施形態２のセンサーの配置を示す図
【符号の説明】
１−セキュリティシステムコントロール装置
２−第  １センサー
３−第２センサー
４−操作入力部
５−警備会社
６−全てのドア・窓・シャッター
７−通信部
８−表示部
９−家
１０−ドア
１１、１２−センサー取り付け棒
１１０、１２０−センサー
１１１−液晶表示部
１３−人
１４−動線
【図１】
2004341838.tif 000003
【図２】
2004341838.tif 000004
【図３】
2004341838.tif 000005
【図４】
2004341838.tif 000006
【図５】
2004341838.tif 000007
【図６】
2004341838.tif 000008